(57)【要約】【課題】ＬＥＤを光源として用いた場合において、緑色成分の光量不足を低減することが可能なプロジェクタを提供する【解決手段】緑色成分を含む光を発光するＬＥＤ発光素子１１０から出射された光を、当該光を変調する光変調装置３０へ導く導光装置２０を有するプロジェクタ１であって、ＬＥＤ発光素子１１０から出射された光の内、導光装置２０への導光路から外れた漏れ光の緑色成分のみを導光路に向かう方向に反射する反射器１１１を備える。【選択図】図１
2011059165.tif 000002
【特許請求の範囲】
【請求項１】
緑色成分を含む光を発光するＬＥＤ発光素子から出射された光を、当該光を変調する光変調装置へ導く導光装置を有するプロジェクタであって、
前記ＬＥＤ発光素子から出射された光の内、前記導光装置への導光路から外れた漏れ光の緑色成分のみを前記導光路に向かう方向に反射する反射器
を備えることを特徴とするプロジェクタ。
【請求項２】
前記反射器は、部分透過ミラーであって、波長領域が５００ｎｍ〜６００ｎｍの光を緑色成分として反射し、当該波長領域以外の光を透過させる
ことを特徴とする請求項１記載のプロジェクタ。
【請求項３】
前記ＬＥＤ発光素子は、白色ＬＥＤである
ことを特徴とする請求項２記載のプロジェクタ。
【請求項４】
前記プロジェクタはさらに、前記フィルタを透過した光を受光して電気エネルギーに変換する光電変換素子を備える
ことを特徴とする請求項３記載のプロジェクタ。
【請求項５】
前記ＬＥＤ発光素子は、緑色ＬＥＤであり、
前記プロジェクタはさらに、赤色ＬＥＤ及び青色ＬＥＤを備え、
前記導光装置は、前記赤色及び青色ＬＥＤからそれぞれ出射された光を前記光変調装置に導き、
前記プロジェクタはさらに、
前記赤色及び青色ＬＥＤからそれぞれ出射された光の内、前記導光装置への導光路から外れた漏れ光を受光して電気エネルギーに変換する光電変換素子を備える
ことを特徴とする請求項１に記載のプロジェクタ。
【請求項６】
前記緑色線分を含む光を発光するＬＥＤ発光素子を発光させる発光手段と、
前記発光手段に給電する給電手段と、
前記光電変換素子によって変換された電気エネルギーを充電する充電手段と、
充電した電気エネルギーを前記給電手段に供給する供給手段と
を備えることを特徴とする請求項４又は５に記載のプロジェクタ。
【発明の詳細な説明】
【技術分野】
【０００１】
本発明は、ＬＥＤを光源として用いたプロジェクタに関し、特に、光源からの漏れ光を有効活用する技術に関する。
【背景技術】
【０００２】
プロジェクタは、外装ケース内に設けられた光源装置から出射された出射光を、画像情報に応じて変調して光学像を形成し、形成した光学像を拡大してスクリーンに投射する装置である。
近年、このようなプロジェクタの光源として、従来から用いられてきたキセノンランプや高圧水銀ランプ等の光源に比較して長寿命で消費電力が少ない発光ダイオード（以下、「ＬＥＤ」という。）が用いられるようになってきている。
【０００３】
例えば、特許文献１には、赤、青、緑の各色のＬＥＤを光源として用いたプロジェクタが開示されている。又、特許文献２には、白色ＬＥＤを光源として用いたプロジェクタが開示されている。
これにより、プロジェクタの光源の長寿命化を図るとともに、消費電力の低減を図ることができる。
【先行技術文献】
【特許文献】
【０００４】
【特許文献１】特開２００６−１１３４６号公報
【特許文献２】特開２００７−７２２４１号公報
【発明の概要】
【発明が解決しようとする課題】
【０００５】
一方、赤、青、緑の３色ＬＥＤの内、緑色ＬＥＤの電力―光変換効率は、赤色、青色に比べ低いため、１個のＬＥＤから射出される光量が他の２色のＬＥＤより少ない。従って、赤、青、緑の各色のＬＥＤを光源として用いる場合には、緑色の光量不足を補うため、緑色ＬＥＤの個数を他の色のＬＥＤの個数よりも多くする必要があり、その分製造コストがかかってしまうという問題が生じる。
【０００６】
又、白色ＬＥＤを光源として用いる場合、白色光のスペクトラムに含まれる緑色成分が少ないため、緑色の光量が不足しやすく、それにより、演色性や色再現性が低下してしまうという問題が生じる。
本発明は、上述のような問題に鑑みて為されたものであって、ＬＥＤを光源として用いた場合において、緑色成分の光量不足を低減することが可能なプロジェクタを提供することを目的とする。
【課題を解決するための手段】
【０００７】
上記目的を達成するため、本発明に係るプロジェクタは、緑色成分を含む光を発光するＬＥＤ発光素子から出射された光を、当該光を変調する光変調装置へ導く導光装置を有するプロジェクタであって、前記ＬＥＤ発光素子から出射された光の内、前記導光装置への導光路から外れた漏れ光の緑色成分のみを前記導光路に向かう方向に反射する反射器を備える。
【０００８】
前記反射器は、部分透過ミラーであって、波長領域が５００ｎｍ〜６００ｎｍの光を緑色成分として反射し、当該波長領域以外の光を透過させることとすることができる。
さらに、前記ＬＥＤ発光素子は、白色ＬＥＤであることとすることができる。
【発明の効果】
【０００９】
上記構成を備えることにより、ＬＥＤ発光素子から出射された光の内、導光装置への導光路から外れた漏れ光の緑色成分が、反射器により、導光路に向かう方向に反射されるので、その分、導光路に導かれる緑色成分の光量を増やすことができ、緑色成分の光量不足を低減することができる。
ここで、前記プロジェクタはさらに、前記フィルタを透過した光を受光して電気エネルギーに変換する光電変換素子を備えることとしてもよい。
【００１０】
又、前記ＬＥＤ発光素子は、緑色ＬＥＤであり、前記プロジェクタはさらに、赤色ＬＥＤ及び青色ＬＥＤを備え、前記導光装置は、前記赤色及び青色ＬＥＤからそれぞれ出射された光を前記光変調装置に導き、
前記プロジェクタはさらに、前記赤色及び青色ＬＥＤからそれぞれ出射された光の内、前記導光装置への導光路から外れた漏れ光を受光して電気エネルギーに変換する光電変換素子を備えることとしてもよい。
【００１１】
前記プロジェクタはさらに、前記緑色線分を含む光を発光するＬＥＤ発光素子を発光させる発光手段と、前記発光手段に給電する給電手段と、前記光電変換素子によって変換された電気エネルギーを充電する充電手段と、充電した電気エネルギーを前記給電手段に供給する供給手段とを備えることとしてもよい。
これにより、漏れ光の内、緑色成分以外の光を光電変換して電気エネルギーとして活用することができる。
【図面の簡単な説明】
【００１２】
【図１】実施の形態１に係るプロジェクタ１の光学構成を示す図である。
【図２】光源装置１１の構成を示す断面図である。
【図３】プロジェクタ１が備える、電気エネルギー回生に係る機能構成を示す機能ブロック図である。
【図４】実施の形態２に係るプロジェクタ２の構成を示す。
【図５】光源装置１２Ｇの構成を示す図である。
【図６】光源装置１２Ｂの構成を示す図である。
【図７】導光板型の光源装置１３の構成を示す断面図である。
【図８】緑色光を出射する導光板型の光源装置１４Ｇの構成を示す断面図である。
【図９】青色光を出射する導光板型の光源装置１４Ｂの構成を示す断面図である。
【発明を実施するための形態】
【００１３】
(実施の形態１)
以下、本発明の実施の形態１に係るプロジェクタについて説明する。図１は、実施の形態１に係るプロジェクタ１の光学構成を示す図である。同図に示すように、プロジェクタ１は、白色光を出射する光源装置１１と、光源装置１１から出射された白色光を赤色（Ｒ）、緑色（Ｇ）、青色（Ｂ）の各色光に分離した後、ＤＭＤ（Digital Micromirror Device）３０に導く導光装置２０と、各色光を変調して投影画像を生成するＤＭＤ３０と、投影画像をスクリーン５０に投射する投射レンズ４０とを備える。
【００１４】
図２は、光源装置１１の構成を示す断面図である。光源装置１１は、略直方体形状の所謂直下型バックライト１１０と、直下型バックライト１１０からの漏れ光の緑色成分（同図において、符号Ｇで示す成分）を反射し、漏れ光の赤色及び青色成分（同図において、符号ＲＢで示す成分）を吸収する反射ユニット１１１とを備える。同図に示すように、直下型バックライト１１０は、筐体１１０１と、複数の白色ＬＥＤ１１０２と、拡散板１１０３とを備える。
【００１５】
白色ＬＥＤ１１０２は、筐体１１０１内において略行列状に配置され、各白色ＬＥＤ１１０２から発光される光は、拡散板１１０３を介して矢印Ａの方向（直下型バックライト１１０から導光装置２０への導光路方向）に出射される。白色ＬＥＤとしては、青色ＬＥＤチップ上に黄色発光蛍光体をコーティングして作成したものを用いることができる。この白色ＬＥＤでは、青色ＬＥＤから発光された青色の光が、黄色発光蛍光体（イットリウムアルミニウムガーネット（Y３Al５O12：Ce３＋）に吸収された後、黄色の光が発光されることにより、青色及び黄色の光が混ざり合って白色光が得られる。
【００１６】
白色ＬＥＤに利用できる黄色発光蛍光体としては、イットリウムアルミニウムガーネット以外に、シリケード（（Sr,Ba)2SiO4:Eu）、シオン（（Ca,Sr)Si2O2N2:Eu）、サイアロン（Ca-α-SiAｌON:Eu）、カルボニトリドシリケート（Y2Si4N6C:Ce）等があり、色純度を高めたい場合は緑色発光の蛍光体や赤色発光の蛍光体との組み合わせも考えられる。
拡散板１１０３は、入射された白色光を拡散照射する板材であり、材質としては、ガラス、透明樹脂に光拡散剤を分散させたもの等を用いることができる。
【００１７】
反射ユニット１１１は、ダイクロイックミラー１１１１と光電変換素子１１１２とから構成され、直下型バックライト１１０からの漏れ光を受光できるように、直下型バックライト１１０の拡散板１１０３が配されている面を除く、他の５面の各外面にそれぞれ沿って配置されている。反射ユニット１１１は、各外面上に配置してもよいし、各外面から離して配置することとしてもよい。
【００１８】
又、反射ユニット１１１は、少なくとも１つの外面に配置することとすればよい。さらに、外面に配置する反射ユニット１１１は、少なくとも１つ以上であればよい。
ダイクロイックミラー１１１１は、漏れ光の緑色成分を、Ａの方向に向かうように反射する。ダイクロイックミラーは、ガラス基板の表面にダイクロイックコート膜（例えば、ＴｉＯ2 、Ｔａ2 Ｏ5、ＺｎＯ2 、ＳｉＯ2 、ＭｇＦ2 等の屈折率の異なる複数の誘電体光学薄膜を積層して形成される膜）を被覆することにより、形成される。ダイクロイックミラーは、干渉効果によって特定の波長領域の光だけを反射させ、残りを透過させる作用を有している。
【００１９】
反射ユニット１１１に用いるダイクロイックミラー１１１１としては、緑色成分の光を反射する性質を有するもの、例えば、５００nm〜６００nmの波長領域の光を反射し、当該波長領域以外の波長領域の光を透過する性質を有するものを用いることができる。
光電変換素子１１１２は、ダイクロイックミラー１１２１を透過した赤色及び青色成分を含む光を受光し、受光した光を電気エネルギーに変換し、変換した電気エネルギーを後述する充電回路に供給する。光電変換素子としては、例えば、単結晶／多結晶シリコンやアモルファスシリコン、化合物半導体、有機半導体等を用いた光電変換素子等を用いることができる。
【００２０】
このように、光源装置１１を用いることにより、白色光の漏れ光の緑色成分（図１において、符号Ｇで示す成分）を、反射ユニット１１１を介して反射して導光装置２０への導光路の方向に導くことができるとともに、赤色及び青色成分（図１において、符号ＲＢで示す成分）を含む光を電気エネルギーに変換することができる。
導光装置２０は、集光レンズ２１、カラーフィルタ２２、ＴＩＲ（Total Internal Reflection）プリズム２３から構成される。集光レンズ２０は、光源装置１１から出射された白色光を集光して、カラーフィルタ２２に導くためのレンズである。
【００２１】
カラーフィルタ２２は、白色光を赤色（Ｒ）、緑色（Ｇ）、青色（Ｂ）の各色光に分離するためのフィルタである。カラーフィルタ２２においては、各色を分離するための３色のフィルタが等間隔で配されている。カラーフィルタ２２は、駆動モータ（不図示）により高速回転して、各色のフィルタを切替え、白色光から時分割に各色を分離する。
ＴＩＲプリズム２３は、カラーフィルタ２２より分離された各色の光を受光すると、当該光をＤＭＤ３０の方向に全反射して、当該光をＤＭＤ３０に導く。
【００２２】
ＤＭＤ３０は、受光した各色光を変調して投影画像を生成する。なお、ＤＭＤの代わりに液晶パネルを入射偏光板と出射偏光板とで挟み込んだ構成のものを用いることとしてもよい。投射レンズ４０は、投影画像をスクリーン５０に投射するためのレンズである。
次に、プロジェクタ１が行う、光電変換素子１１１２により変換された電気エネルギーを回生する動作について説明する。図３は、プロジェクタ１が備える、電気エネルギー回生に係る機能構成を示す機能ブロック図である。
【００２３】
充電回路１０３は、光電変換素子１１１２と電気的に接続され、光電変換素子１１１２から供給される電気エネルギーを用いて二次電池１０２を充電する。制御部１０１は、例えば、ＣＰＵなどから構成され、ＬＥＤ点灯回路１０４を駆動させて、充電された二次電池１０２から供給される電力を利用して白色ＬＥＤ１１１を点灯させる。
二次電池１０２としては、例えば、リチウムイオン電池、ニッケル水素電池、
ニッケルカドミウム電池などを用いることができる。
【００２４】
なお、光電変換素子１１１２から供給される電気エネルギーを電気二重槽コンデンサなどの蓄電装置に供給し、当該蓄電装置からＬＥＤ点灯回路１０４に電力を供給することとしてもよい。
（実施の形態２）
実施の形態１においては、光源として白色ＬＥＤを用いたが、本実施の形態においては、赤色ＬＥＤ、緑色ＬＥＤ、青色ＬＥＤの３色のＬＥＤを光源として用いる点において、実施の形態１に係るプロジェクタと相違する。
【００２５】
以下、実施の形態２に係るプロジェクタについて説明する。図４は、実施の形態２に係るプロジェクタ２の構成を示す。同図に示すように、プロジェクタ２は、光源装置１２Ｇと、光源装置１２Ｂと、光源装置１２Ｒと、導光装置２００と、ＤＭＤ３０と、投射レンズ４０とを備える。光源装置１２Ｇ、１２Ｂ、１２Ｒは、所定の周期でそれぞれ切替えられて点灯される。この周期を充分短くすることにより、時分割に投射された各色の画像が人間の脳内で合成されてフルカラー画像として認識される。
【００２６】
なお、実施の形態１に係るプロジェクタ１と同一の構成要素については、同一の番号を付与し、当該構成要素については説明を省略する。
図５は、光源装置１２Ｇの構成を示す図である。光源装置１２Ｇは、略直方体形状の所謂直下型バックライト１２０Ｇと、直下型バックライト１２０Ｇからの漏れ光を反射する反射ミラー１２１とを備える。同図に示すように、直下型バックライト１２０Ｇは、筐体１２０１と、複数の緑色ＬＥＤ１２０２Ｇと、拡散板１２０３とを備える。
【００２７】
緑色ＬＥＤ１２０２Ｇは、筐体１２０１内において略行列状に配置され、各緑色ＬＥＤ１２０２Ｇから発光される光は、拡散板１２０３を介して矢印Ｂの方向に出射される。
拡散板１２０３は、入射された緑色光を拡散照射する板材であり、材質としては、ガラス、透明樹脂に光拡散剤を分散させたもの等を用いることができる。
反射ミラー１２１は、直下型バックライト１２０Ｇからの漏れ光を受光できるように、直下型バックライト１２０Ｇの拡散板１２０３が配されている面を除く、他の５つの面の各外面に沿って配置され、漏れ光（図５において、符号ｇで示す光）を、Ｂの方向（直下型バックライト１２０Ｇから導光装置２００への導光路方向）に向かうように反射する。
【００２８】
反射ミラー１２１は、各外面上に配置してもよいし、各外面から離して配置することとしてもよい。又、反射ミラー１２１は、少なくとも１つの外面に配置することとすればよい。さらに、外面に配置する反射ミラー１２１は、少なくとも１つ以上であればよい。
反射ミラー１２１としては、例えば、全反射ミラーや緑色成分を反射するダイクロイックミラーを用いることができる。
【００２９】
図６は、光源装置１２Ｂの構成を示す図である。光源装置１２Ｂは、略直方体形状の所謂直下型バックライト１２０Ｂと、直下型バックライト１２０Ｂからの漏れ光（同図において、符号ｂで示す光）を受光して、電気エネルギーに変換する光電変換素子１２２とを備える。
同図に示すように、直下型バックライト１２０Ｂの構成は、発光される光の色が相違する点と、拡散板１２０３を介して光が出射される方向が矢印Ｃの方向（直下型バックライト１２０Ｂから導光装置２００への導光路方向）である点において直下型バックライト１２０Ｇと相違し、その他の点においては、両者は、同じ構成であるので、直下型バックライト１２０Ｂの構成については説明を省略する。
【００３０】
光電変換素子１２２は、直下型バックライト１２０Ｂからの漏れ光を受光できるように、直下型バックライト１２０Ｂの拡散板１２０３が配されている面を除く、他の５つの面の各外面に沿って配置され、漏れ光を受光して、受光した漏れ光を電気エネルギーに変換し、後述する充電回路に変換した電気エネルギーを供給する。光電変換素子１２２は、各外面上に配置してもよいし、各外面から離して配置することとしてもよい。光電変換素子１２２は、少なくとも１つの外面に配置することとすればよい。さらに、外面に配置する光電変換素子１２２は、少なくとも１つ以上であればよい。
【００３１】
光源装置１２Ｒの構成は、発光される光の色が相違する点を除いて光源装置１２Ｂの構成と同様であるので、光源装置１２Ｒについては、説明を省略する。
このように、光源装置１２Ｇの反射ミラー１２１を介して、緑色光の漏れ光（図４において、符号ｇで示す光）を反射して導光装置２００への導光路の方向に導くことができるとともに、光源装置１２Ｂ、１２Ｒの各光電変換素子１２２を介して、青色光と赤色光の漏れ光（図４において、符号ｂ、ｒでそれぞれ示す光）を電気エネルギーに変換することができる。
【００３２】
導光装置２００は、プリズム２４とＴＩＲプリズム２３とから構成される。プリズム２４は、光源装置２１Ｇ、２１Ｂ、２１Ｒからそれぞれ出射された各色光を反射又は透過させてＴＩＲプリズム２３へ入射させる。
又、プロジェクタ２は、実施の形態１のプロジェクタ１と同様に、光電変換素子１２２により変換された電気エネルギーを回生する動作を行う。
【００３３】
以上、本発明を実施の形態１及び２に基づいて説明してきたが、本発明が上述の実施の形態に限定されないのは勿論であり、以下のような変形例を実施することができる。
・  本実施の形態１においては、光源装置として直下型バックライトを用いたが、光源装置は、直下型バックライトに限定されない。例えば、所謂導光板型のバックライトを光源装置として用いることとしてもよい。図７は、導光板型の光源装置１３の構成を示す断面図である。同図に示すように、光源装置１３は、導光板型バックライト１３０と、導光板型バックライト１３０からの漏れ光の緑色成分（図７において、符号Ｇで示す成分）を反射する反射ユニット１３１とを備える。
【００３４】
導光板型バックライト１３０は、白色ＬＥＤ１３０１と、白色ＬＥＤ１３０１を囲み、白色ＬＥＤから発光される白色光を反射させる、断面がコの字型のリフレクタ１３０２と、略直方体形状の導光板１３０３とを備える。
白色ＬＥＤ１３０１及びリフレクタ１３０２は、導光板１３０３の外側上端面１３０３ａに対向するように配置され、白色ＬＥＤ１３０１から出射された白色光及びリフレクタ１３０２により反射された白色光は、当該外側上端面１３０３ａを介して導光板１３０３内に入射され、導光板１３０３内で全反射を繰り返した後、導光板１３０３の外側右側面１３０３ｂを介して矢印Ｄの方向（導光板型バックライト１３０から導光装置２０への導光路方向）に出射される。
【００３５】
導光板１３０３は、アクリル樹脂、ポリカーボネート等の透明材料で構成され、入射された白色光が全反射されるように構成されている。そして導光板１３０３の左外側側面１３０３ｃには、反射ドット１３０４が複数形成され、反射ドット１３０４により、入射された白色光の反射方向が変更され、反射光が外側右側面１３０３ｂを介して矢印Ｄの方向に出射されるように構成されている。
【００３６】
なお、反射ドットの変わりに、溝を形成することとしてもよい。
反射ユニット１３１は、反射ユニット１１１と同様に、ダイクロイックミラー１３１１と光電変換素子１３１２とから構成される。反射ユニット１３１は、導光板型バックライト１３０からの漏れ光を受光し、漏れ光の緑色成分を導光板１３０３側に反射できるように、白色光出射面である導光板型バックライト１３０の外側右側面１３０３ｂを除く、外側各側面、及び外側下端面１３０３ｄにそれぞれ沿って配置されている。反射ユニット１３１は、外側側面上及び外側下端面上に配置してもよいし、外側側面及び外側下端面から離して配置することとしてもよい。
【００３７】
さらに、リフレクタ１３０２と導光板型バックライト１３０の外側上端面１３０３ａとの間に挟まれた空間から、導光板１３０３側でない方向に向う白色光の漏れ光の緑色成分を、導光板１３０３側の方向に反射できるように、当該空間の近傍には反射ユニット１３１が配置されている。
上記の変形例の光源装置を用いることにより、実施の形態１に係る光源装置１１と同様に、ダイクロイックミラー１３１１を介して、白色光の漏れ光の緑色成分を導光板１３０３内に導いて導光板１３０３の出射面から導光装置２０方向へ出射させることができるとともに、ダイクロイックミラー１３１１を透過した赤色及び青色成分（図７において、符号ＲＢで示す成分）を含む光を、光電変換素子１３１２を介して電気エネルギーに変換することができる。
（２）同様に、本実施の形態２においても、光源装置は、直下型バックライトに限定されず、例えば、緑色、青色、赤色の各色について導光板型のバックライトを光源装置として用いることとしてもよい。図８は、緑色光を出射する導光板型の光源装置１４Ｇの構成を示す断面図である。当該構成は、出射する光の色が異なる点、及び反射ユニット１３１の代わりに反射ミラー１４１を構成要素としている点を除いて、（１）の変形例に係る導光板型の光源装置１３と同一の構成である。同図において、符号１４０Ｇで示す導光板型バックライトが光源装置１３の導光板型バックライト１３０に、符号１４０１Ｇで示す緑色ＬＥＤが光源装置１３の白色ＬＥＤ１３０１に、符号１４０２で示すリフレクタが光源装置１３のリフレクタ１３０２に、符号１４０３で示す導光板が光源装置１３の導光板１３０３に、符号１４０４で示す反射ドットが光源装置１３の反射ドット１３０４にそれぞれ相当する。
【００３８】
導光板型バックライト１４０Ｇにおいて、緑色ＬＥＤ１４０１Ｇから出射された緑色光及びリフレクタ１４０２により反射された緑色光は、導光板１４０３内に入射され、導光板１４０３内で全反射を繰り返した後、導光板１４０３の外側右側面１４０３ａを介して矢印Ｅの方向（導光板型バックライト１４０Ｇから導光装置２００への導光路方向）に出射される。
【００３９】
反射ミラー１４１は、実施の形態２に係る反射ミラー１２１と同一の構成である。
図９は、青色光を出射する導光板型の光源装置１４Ｂの構成を示す断面図である。当該構成は、出射する光の色が異なる点、及び反射ユニット１３１の代わりに光電変換素子１４２を構成要素としている点を除いて、（１）の変形例に係る導光板型の光源装置１３と同一の構成である。同図において、符号１４０Ｂで示す導光板型バックライトが光源装置１３の導光板型バックライト１３０に、符号１４０１Ｂで示す青色ＬＥＤが光源装置１３の白色ＬＥＤ１３０１に、符号１４０２で示すリフレクタが光源装置１３のリフレクタ１３０２に、符号１４０３で示す導光板が光源装置１３の導光板１３０３に、符号１４０４で示す反射ドットが光源装置１３の反射ドット１３０４にそれぞれ相当する。
【００４０】
導光板型バックライト１４０Ｂにおいて、青色ＬＥＤ１４０１Ｂから出射された青色光及びリフレクタ１４０２により反射された青色光は、導光板１４０３内に入射され、導光板１４０３内で全反射を繰り返した後、導光板１４０３の外側右側面１４０３ｂを介して矢印Ｆの方向（導光板型バックライト１４０Ｂから導光装置２００への導光路方向）に出射される。
【００４１】
赤色光を出射する導光板型の光源装置１４Ｒについても、光源装置１４Ｂと同様の構成である。
上記の変形例の各光源装置を用いることにより、実施の形態２に係る各光源装置と同様に、反射ミラー１４１を介して、緑色光の漏れ光（図８において、符号ｇで示す光）を導光板１４０３内に導いて導光板１４０３の出射面１４０３ａから導光装置２００方向へ出射させることができるとともに、光源装置１４Ｂ、１４Ｒがそれぞれ備える光電変換素子１４２を介して、青色光、赤色光の漏れ光（図９において、符号ｂで示す光）を電気エネルギーに変換することができる。
【産業上の利用可能性】
【００４２】
本発明は、ＬＥＤを光源として用いたプロジェクタに関し、特に、光源からの漏れ光を有効活用する技術として利用できる。
【符号の説明】
【００４３】
１、２                                      プロジェクタ
１１、１２Ｒ、１２Ｇ、１２Ｂ                光源装置
２０、２００                                導光装置
２１                                        集光レンズ
２２                                        カラーフィルタ
２３                                        ＴＩＲプリズム
２４                                        プリズム
３０                                        ＤＭＤ
４０                                        投射レンズ
５０                                        スクリーン
１０１                                      制御部
１０２                                      二次電池
１０３                                      充電回路
１０４                                      ＬＥＤ点灯回路
１１０、１２０Ｒ、１２０Ｇ、１２０Ｂ        直下型バックライト
１１１                                      反射ユニット
１２１                                      反射ミラー
１２２                                      光電変換素子
【図１】
2011059165.tif 000003
【図２】
2011059165.tif 000004
【図３】
2011059165.tif 000005
【図４】
2011059165.tif 000006
【図５】
2011059165.tif 000007
【図６】
2011059165.tif 000008
【図７】
2011059165.tif 000009
【図８】
2011059165.tif 000010
【図９】
2011059165.tif 000011